(57)【要約】【課題】通信機器に接続すれば、その場に居る様な音響効果を離れた相手に、リアルタイムで相互に与え合うことができるバイノーラル音響器具の提供。【解決手段】バイノーラル音響器具Ａは、左側イヤホン１１および左側コンデンサマイク１２を遮音材１３を挟んで対向状態に連結した左耳用音響ユニット１と、右側イヤホン２１および右側コンデンサマイク２２を別の遮音材２３を介して対向状態に連結した右耳用音響ユニット２とからなり、各音響ユニット１、２が通信機器に電気接続される。これにより、自分および相手がバイノーラル音響器具Ａを装着すれば、その場に居る様な音響効果を離れた相手に、リアルタイムで相互に与えることができる。【選択図】図１
2006339911.tif 000002
【特許請求の範囲】
【請求項１】
左耳に装着するための左側イヤホンおよび左方向からの音を収音するための左側マイクを遮音材を挟んで対向状態に連結した左耳用音響ユニットと、
右耳に装着するための右側イヤホンおよび右方向からの音を収音するための右側マイクを別の遮音材を介して対向状態に連結した右耳用音響ユニットとからなるバイノーラル音響器具。
【請求項２】
左耳に装着するための左耳用遮音装着体に、前記左耳に嵌めるための左側イヤホンおよび左方向からの音を収音するための左側マイクを離して配設した左耳用音響ユニットと、  右耳に装着するための右耳用遮音装着体に、前記右耳に嵌めるための右側イヤホンおよび右方向からの音を収音するための右側マイクを離して配設した右耳用音響ユニットとからなるバイノーラル音響器具。
【請求項３】
前記左側マイクおよび前記右側マイクは、外方向に指向性を有し、収音開口部に風切り音を防ぐための多孔質体を取り付けたコンデンサマイクであることを特徴とする請求項１または請求項２に記載のバイノーラル音響器具。
【請求項４】
左耳用スピーカを内蔵し左耳を覆う左側イヤパッドと、右耳用スピーカを内蔵し右耳を覆う右側イヤパッドとを、円弧状のヘッドバンドの両端に取り付け、
左方向からの音を収音するための左側マイクを前記左側イヤパッドの外壁に配設し、右方向からの音を収音するための右側マイクを前記右側イヤパッドの外壁に配設したバイノーラル音響器具。
【請求項５】
左耳用スピーカを内蔵し左耳に装着するための左耳用イヤパッドと、右耳用スピーカを内蔵し右耳に装着するための右耳用イヤパッドとを円弧状のヘッドバンドの両端に取り付け、
左耳用イヤパッド近傍の前記ヘッドバンドに左方向からの音を収音するための左側マイクを配設し、
右耳用イヤパッド近傍の前記ヘッドバンドに右方向からの音を収音するための右側マイクを配設したことを特徴とするバイノーラル音響器具。
【請求項６】
前記左側マイクおよび前記右側マイクは、外方向に指向性を有し、収音開口部に風切り音を防ぐための多孔質体を取り付けたコンデンサマイクであることを特徴とする請求項４または請求項５に記載のバイノーラル音響器具。
【請求項７】
先端に会話用マイクを配設したフレキシブルアームを取り付け、
会話用マイク信号の有効・無効を切り換えるためのスイッチを設けたことを特徴とする請求項４乃至請求項６の何れかに記載のバイノーラル音響器具。
【発明の詳細な説明】
【技術分野】
【０００１】
本発明は、その場に居る様な音響効果を相手に与えることができるバイノーラル音響器具に関する。
【背景技術】
【０００２】
従来の耳装着式小型ステレオマイクロフォンは、イヤホン程度の大きさの小型マイクロフォンの容器の前面だけでなく後面にも空洞を設けて、容器の内部側面とマイクロフォン本体の間に空間を作り、左右の外耳道入り口に装着しても音が明瞭に鼓膜に届くような構造で、録音者が実音を聞きながらバイノーラル録音ができるものである（特許文献１参照）。
【特許文献１】実用新案登録第３０７８９６５号公報
【発明の開示】
【発明が解決しようとする課題】
【０００３】
特許文献１の技術は、耳装着式のマイクロフォンであるので、バイノーラル録音しかできず、リアルタイムで、離れた相手とのあいだで臨場感を与え合うことはできない。
【０００４】
本発明の第１の目的は、通信機器に接続すれば、その場に居る様な音響効果を離れた相手に、リアルタイムで相互に与えることができるバイノーラル音響器具の提供にある。
本発明の第２の目的は、通信機器に接続すれば、その場に居る様な音響効果を離れた相手に、リアルタイムで相互に与えることができ、且つ、会話を行うこともできるバイノーラル音響器具の提供にある。
【課題を解決するための手段】
【０００５】
〔請求項１について〕
バイノーラル音響器具の左耳用音響ユニットは、左耳に装着するための左側イヤホンおよび左方向からの音を収音するための左側マイクを遮音材を挟んで対向状態に連結している。また、その右耳用音響ユニットは、右耳に装着するための右側イヤホンおよび右方向からの音を収音するための右側マイクを別の遮音材を介して対向状態に連結している。
【０００６】
バイノーラル音響器具の左耳用音響ユニットを自分の左耳に装着し、その右耳用音響ユニットを自分の右耳に装着し、自分が携帯している通信機器に各音響ユニットを電気接続する。
離れた場所にいる相手も、バイノーラル音響器具の左耳用音響ユニットを自分の左耳に装着し、その右耳用音響ユニットを自分の右耳に装着し、自分が携帯している通信機器に各音響ユニットを電気接続する。
【０００７】
左方向からの音が左側マイクで収音され、そのマイク信号が自分側の通信機器に入力され、離れた場所にいる相手側の通信機器で復調され、相手の左耳に装着した左側イヤホンで再生される。
右方向からの音が右側マイクで収音され、そのマイク信号が自分側の通信機器に入力され、離れた場所にいる相手側の通信機器で復調され、相手の右耳に装着した右側イヤホンで再生される。
なお、遮音材は、左側イヤホンおよび右側イヤホンで再生された音（相手側の音）が、左側マイクおよび右側マイクで収音されるのを防止するためのものである。
【０００８】
バイノーラル音響器具は、お互いが携帯している通信機器に各音響ユニットを接続すれば、その場に居る様な音響効果を離れた相手に、リアルタイムで相互に与えることができる。
音響ユニットは、マイクとイヤホンとを遮音材を挟んで対向状態に連結して、一体化しているので装着性に優れる。
バイノーラル音響器具は、マイクとイヤホンとを対向状態に連結しているので、自分と相手の身長が略同一で、地表から耳までの距離が略同一であれば、収音位置と再生位置とが略同一となり、相手に対して、略同一のバイノーラル音響を提供できる。
【０００９】
〔請求項２について〕
バイノーラル音響器具の左耳用音響ユニットは、左耳に装着するための左耳用遮音装着体に、左耳に嵌めるための左側イヤホンと左方向からの音を収音するための左側マイクとを離して配設している。
また、バイノーラル音響器具の右耳用音響ユニットは、右耳に装着するための右耳用遮音装着体に、右耳に嵌めるための右側イヤホンと右方向からの音を収音するための右側マイクとを離して配設している。
【００１０】
バイノーラル音響器具の左耳用音響ユニットの左耳用遮音装着体を自分の左耳に装着し、その右耳用音響ユニットの右耳用遮音装着体を自分の右耳に装着し、自分が携帯している通信機器に各音響ユニットを電気接続する。
離れた場所にいる相手も、バイノーラル音響器具の左耳用音響ユニットの左耳用遮音装着体を自分の左耳に装着し、その右耳用音響ユニットの右耳用遮音装着体を自分の右耳に装着し、自分が携帯している通信機器に各音響ユニットを電気接続する。
【００１１】
左方向からの音が左側マイクで収音され、そのマイク信号が自分側の通信機器に入力され、離れた場所にいる相手側の通信機器で復調され、相手の左耳に装着した左側イヤホンで再生される。右方向からの音が右側マイクで収音され、そのマイク信号が自分側の通信機器に入力され、離れた場所にいる相手側の通信機器で復調され、相手の右耳に装着した右側イヤホンで再生される。
なお、各耳への装着を行うための各遮音装着体は、左側イヤホンおよび右側イヤホンで再生された音（相手側の音）が、左側マイクおよび右側マイクで収音されるのを防止する役目を果たす。
【００１２】
バイノーラル音響器具は、お互いが携帯している通信機器に各耳用音響ユニットを接続すれば、その場に居る様な音響効果を離れた相手に、リアルタイムで相互に与えることができる。また、各耳用遮音装着体に、各マイクと各イヤホンとを配設して一体化しているので装着性に優れる。
各耳用音響ユニットは、耳への装着を行うための耳用遮音装着体に、イヤホンとマイクとを離して配設しているので、左側イヤホンおよび右側イヤホンで再生された音（相手側の音）が、左側マイクおよび右側マイクで収音されるのを、より一層、防止することができる。
【００１３】
バイノーラル音響器具は、イヤホンとマイクとを離して耳用遮音装着体に配設しているが、地表からイヤホンおよびマイク迄の距離が余り変わらない。
よって、自分と相手の身長が同程度で、地表から耳までの距離が同程度であれば、収音位置と再生位置とが同程度となり、相手に対して、同程度のバイノーラル音響を提供できる。
【００１４】
〔請求項３について〕
左側マイクおよび右側マイクは、外方向に指向性を有するので、左側イヤホンおよび右側イヤホンから再生された音（相手側の音）を収音し難い。
また、各マイクの収音開口部に多孔質体を取り付けているので、野外での使用の際に風切り音を収音し難い。
各マイクは、コンデンサマイクであるので、小型であるとともに、外方向に指向性を出し易い。
【００１５】
〔請求項４について〕
バイノーラル音響器具は、円弧状のヘッドバンドの両端に、左耳用スピーカを内蔵し左耳を覆う左側イヤパッドと、右耳用スピーカを内蔵し右耳を覆う右側イヤパッドとを取り付けている。左側イヤパッドの外壁に配設した左側マイクが左方向からの音を収音し、右側イヤパッドの外壁に配設した右側マイクが右方向からの音を収音する。
【００１６】
バイノーラル音響器具の左側イヤパッドが自分の左耳を覆い、右側イヤパッドが自分の右耳を覆う様に、ヘッドバンドを自分の頭に装着する。
自分が携帯している通信機器にバイノーラル音響器具を電気接続する。
離れた場所にいる相手も、左側イヤパッドが自分の左耳を覆い、右側イヤパッドが自分の右耳を覆う様に、ヘッドバンドを自分の頭に装着し、自分が携帯している通信機器に自分のバイノーラル音響器具を電気接続する。
【００１７】
左方向からの音が左側マイクで収音され、そのマイク信号が自分側の通信機器に入力され、離れた場所にいる相手側の通信機器で復調され、相手のバイノーラル音響器具の左側イヤパッドの左耳用スピーカで再生される。
右方向からの音が右側マイクで収音され、そのマイク信号が自分側の通信機器に入力され、離れた場所にいる相手側の通信機器で復調され、相手のバイノーラル音響器具の右側イヤパッドの右耳用スピーカで再生される。
なお、各イヤパッドが遮音材として機能するので、左耳用スピーカおよび右耳用スピーカで再生された音（相手側の音）が、左側マイクおよび右側マイクで収音されるのを防止できる。
【００１８】
バイノーラル音響器具は、お互いが携帯している通信機器に電気接続すれば、その場に居る様な音響効果を離れた相手に、リアルタイムで相互に与えることができる。
また、バイノーラル音響器具は、ヘッドバンドの両端に、左側イヤパッドと右側イヤパッドとを取り付けて一体化しているので装着性に優れる。
【００１９】
バイノーラル音響器具は、各イヤパッドの外壁にマイクを配設しているので、自分と相手の身長が略同一で、地表から耳までの距離が略同一であれば、収音位置と再生位置とが略同一となり、相手に対して、略同一のバイノーラル音響を提供できる。
【００２０】
〔請求項５について〕
バイノーラル音響器具は、円弧状のヘッドバンドの両端に、左耳用スピーカを内蔵し左耳に装着する左耳用イヤパッドと、右耳用スピーカを内蔵し右耳に装着する右耳用イヤパッドとを取り付けている。左耳用イヤパッド近傍のヘッドバンドに配設した左側マイクが左方向からの音を収音し、右耳用イヤパッド近傍のヘッドバンドに配設した右側マイクが右方向からの音を収音する。
【００２１】
バイノーラル音響器具の左耳用イヤパッドが自分の左耳に装着され、右耳用イヤパッドが自分の右耳に装着される様に、自分の頭にヘッドバンドを被せる。
自分が携帯している通信機器にバイノーラル音響器具を電気接続する。
離れた場所にいる相手も、左耳用イヤパッドが自分の左耳に装着され、右耳用イヤパッドが自分の右耳に装着される様に、自分の頭にヘッドバンドを被せ、自分が携帯している通信機器に自分のバイノーラル音響器具を電気接続する。
【００２２】
左方向からの音が左側マイクで収音され、そのマイク信号が自分側の通信機器に入力され、離れた場所にいる相手側の通信機器で復調され、相手のバイノーラル音響器具の左耳用イヤパッドの左耳用スピーカで再生される。
右方向からの音が右側マイクで収音され、そのマイク信号が自分側の通信機器に入力され、離れた場所にいる相手側の通信機器で復調され、相手のバイノーラル音響器具の右耳用イヤパッドの右耳用スピーカで再生される。
【００２３】
バイノーラル音響器具は、お互いが携帯している通信機器に電気接続すれば、その場に居る様な音響効果を離れた相手に、リアルタイムで相互に与えることができる。
また、バイノーラル音響器具は、ヘッドバンドの両端に、左耳用イヤパッドと右耳用イヤパッドとを取り付けて一体化しているので装着性に優れる。
【００２４】
各耳用イヤパッドが遮音材として機能し、且つ、左耳用イヤパッド近傍のヘッドバンドに左側マイクを配設し、右耳用イヤパッド近傍のヘッドバンドに右側マイクを配設しているので、左耳用スピーカおよび右耳用スピーカで再生された音（相手側の音）が、左側マイクおよび右側マイクで収音されるのを確実に防止できる。
【００２５】
バイノーラル音響器具は、イヤパッドの近傍のヘッドバンドにマイクを配設しているので、地表からスピーカおよびマイク迄の距離が余り変わらない。
よって、自分と相手の身長が同程度で、地表から耳までの距離が同程度であれば、収音位置と再生位置とが同程度となり、相手に対して、同程度のバイノーラル音響を提供できる。
【００２６】
〔請求項６について〕
左側マイクおよび右側マイクは、外方向に指向性を有するので、左耳用スピーカおよび右耳用スピーカから再生された音（相手側の音）を収音し難い。
また、各マイクの収音開口部に多孔質体を取り付けているので、野外での使用の際に風切り音を収音し難い。
各マイクは、コンデンサマイクであるので、小型であるとともに、外方向に指向性を出し易い。
【００２７】
〔請求項７について〕
バイノーラル音響器具は、先端に会話用マイクを配設したフレキシブルアームを取り付け（イヤパッドかヘッドバンド）ている。
更に、会話用マイクの会話用マイク信号が、自分の携帯している通信機器へ出力されるのを、有効にするか無効にするのかを切り換えるためのスイッチを設けている。
このため、会話用マイク信号が通信機器へ出力される様にスイッチを操作すれば、自分の周りが騒がしい場合でも、会話用マイクを使って相手と会話することができる。
【発明を実施するための最良の形態】
【００２８】
バイノーラル音響器具は、左側イヤホンおよび左側コンデンサマイクを遮音材を挟んで対向状態に連結した左耳用音響ユニットと、右側イヤホンおよび右側コンデンサマイクを別の遮音材を介して対向状態に連結した右耳用音響ユニットとからなり、各音響ユニットの被覆リード線がプラグを用いて着脱自在に通信機器に接続される。
これにより、自分および相手がバイノーラル音響器具を装着すれば、その場に居る様な音響効果を離れた相手に、リアルタイムで相互に与えることができる。
【実施例１】
【００２９】
本発明の実施例１（請求項１、３に対応）を図１に基づいて説明する。
図１に示すバイノーラル音響器具Ａは、左耳用音響ユニット１と右耳用音響ユニット２とを備える。
左耳用音響ユニット１は、左耳１０に装着するための左側イヤホン１１および左方向からの音を収音するための左側コンデンサマイク１２を遮音材１３を挟んで対向状態に連結してなる。
左側イヤホン１１は、マグネット型である。
左側コンデンサマイク１２は、反マイク方向（図示右方向）に指向性を有し、収音開口部に風切り音を防ぐための多孔質体であるスポンジ（図示せず）を取り付けている。
遮音材１３は、グラスウールを固めて製造した遮音性が高いグラスウール板である。
【００３０】
右耳用音響ユニット２は、右耳２０に装着するための右側イヤホン２１および右方向からの音を収音するための右側コンデンサマイク２２を遮音材２３を挟んで対向状態に連結してなる。
右側イヤホン２１は、マグネット型である。
右側コンデンサマイク２２は、反マイク方向（図示左方向）に指向性を有し、収音開口部に風切り音を防ぐための多孔質体であるスポンジ（図示せず）を取り付けている。
遮音材２３は、グラスウールを固めて製造した遮音性が高いグラスウール板である。
【００３１】
左側イヤホン１１には、被覆リード線１４、１５の一端が電気接続され、被覆リード線１４、１５の他端は、通信機器のイヤホンジャック（何れも図示せず）に差し込むためのイヤホンプラグＰ１（３極タイプ）に電気接続されている。
右側イヤホン２１には、被覆リード線２４、２５の一端が電気接続され、被覆リード線２４、２５の他端は、通信機器のイヤホンジャック（何れも図示せず）に差し込むためのイヤホンプラグＰ１（３極タイプ）に電気接続されている。
なお、各被覆リード線１４、１５、２４、２５の他端をプラグ内で接続することにより、イヤホンプラグＰ１の端子数を３にしている。
【００３２】
左側コンデンサマイク１２には、被覆シールド線１６の一端が電気接続され、被覆シールド線１６の他端は、通信機器のマイクジャック（何れも図示せず）に差し込むためのマイクプラグＰ２（３極タイプ）に電気接続されている。
右側コンデンサマイク２２には、被覆シールド線２６の一端が電気接続され、被覆シールド線２６の他端は、通信機器のマイクジャック（何れも図示せず）に差し込むためのマイクプラグＰ２（３極タイプ）に電気接続されている。
なお、各被覆シールド線１６、２６の他端のシールドをプラグ内で接続することにより、マイクプラグＰ２の端子数を３にしている。
【００３３】
本実施例のバイノーラル音響器具Ａは、以下の様に使用する。
バイノーラル音響器具Ａの左耳用音響ユニット１を自分の左耳１０に装着し、右耳用音響ユニット２を自分の右耳２０に装着し、イヤホンプラグＰ１を自分が携帯している通信機器のイヤホンジャックに差し込み、マイクプラグＰ２をマイクジャック（何れも図示せず）に差し込む。
離れた場所にいる相手も、バイノーラル音響器具Ａの左耳用音響ユニット１を自分の左耳１０に装着し、右耳用音響ユニット２を自分の右耳２０に装着し、イヤホンプラグＰ１を自分が携帯している通信機器のイヤホンジャックに差し込み、マイクプラグＰ２をマイクジャック（何れも図示せず）に差し込む。
【００３４】
左方向からの音が左側コンデンサマイク１２で収音され、そのマイク信号が被覆シールド線１６を介して自分が携帯している通信機器に入力され、離れた場所にいる相手側の通信機器で復調され、相手の左耳１０に装着した左側イヤホン１１で再生される。
右方向からの音が右側コンデンサマイク２２で収音され、そのマイク信号が被覆シールド線２６を介して自分側の通信機器に入力され、離れた場所にいる相手側の通信機器で復調され、相手の右耳２０に装着した右側イヤホン２１で再生される。
【００３５】
本実施例のバイノーラル音響器具Ａは、以下の利点を有する。
バイノーラル音響器具Ａは、各音響ユニットを自分の両耳１０、２０に装着し、お互いが携帯している通信機器のイヤホンジャックおよびマイクジャックに、イヤホンプラグＰ１およびマイクプラグＰ２を差し込めば、その場に居る様な音響効果を離れた相手に、リアルタイムで相互に与えることができる。
【００３６】
音響ユニットＡは、コンデンサマイク１２、２２とイヤホン１１、２１とを遮音材１３、２３を挟んで対向状態に連結して、一体化しているので装着性に優れる。
バイノーラル音響器具Ａは、コンデンサマイク１２、２２とイヤホン１１、２１とを対向状態に連結しているので、自分と相手の身長が略同一で、地表から耳までの距離が略同一であれば、収音位置と再生位置とが略同一となり、相手に対して、略同一のバイノーラル音響を提供できる。
【００３７】
左側コンデンサマイク１２および右側コンデンサマイク２２が反マイク方向に指向性を有し、且つ、遮音性が高い遮音材１３、２３を使用している。このため、左側イヤホン１１および右側イヤホン２１で再生された音（相手側の音）が、左側コンデンサマイク１２および右側コンデンサマイク２２で収音されることを防ぐことができ、ハウリングやエコーを防止できる。
【００３８】
左側コンデンサマイク１２および右側コンデンサマイク２２の収音開口部に多孔質体であるスポンジを取り付けているので、野外での使用の際に風切り音を収音し難い。
左側コンデンサマイク１２および右側コンデンサマイク２２は、コンデンサマイクであるので、小型であるとともに、外方向に指向性を出し易い。
【実施例２】
【００３９】
つぎに、本発明の実施例２（請求項２、３に対応）を図２に基づいて説明する。
図２に示すバイノーラル音響器具Ｂは、左耳用音響ユニット３と、右耳用音響ユニット４とを備える。
左耳用音響ユニット３は、左耳用遮音装着体３１と、左側イヤホン３２と、左側コンデンサマイク３３とからなる。
左耳用遮音装着体３１は、グラスウールを固めて製造した遮音性が高いグラスウール板であり、楕円板状を呈する。そして、内側上部に左側イヤホン３２を配設し、外側下部に左側コンデンサマイク３３を配設している。
左側イヤホン３２は、マグネット型である。
左側コンデンサマイク３３は、外方向（図示左方向）に指向性を有し、収音開口部に風切り音を防ぐための多孔質体であるスポンジ３４を取り付けている。
【００４０】
右耳用音響ユニット４は、右耳用遮音装着体４１と、右側イヤホン４２と、右側コンデンサマイク４３とからなる。
右耳用遮音装着体４１は、グラスウールを固めて製造した遮音性が高いグラスウール板であり、楕円板状を呈する。そして、内側上部に右側イヤホン４２を配設し、外側下部に右側コンデンサマイク４３を配設している。
右側イヤホン４２は、マグネット型である。
右側コンデンサマイク４３は、外方向（図示右方向）に指向性を有し、収音開口部に風切り音を防ぐための多孔質体であるスポンジ４４を取り付けている。
【００４１】
左側イヤホン３２には、被覆リード線３５、３６の一端が電気接続され、被覆リード線３５、３６の他端は、通信機器のアクセサリージャック（何れも図示せず）に差し込むための多極プラグＰ３に電気接続されている。
右側イヤホン４２には、被覆リード線４５、４６の一端が電気接続され、被覆リード線４５、４６の他端は、通信機器のアクセサリージャック（何れも図示せず）に差し込むための多極プラグＰ３に電気接続されている。
なお、各被覆リード線３５、３６、４５、４６の他端を多極プラグＰ３内で接続することにより、多極プラグＰ３の使用端子数を３にしている。
【００４２】
左側コンデンサマイク３３には、被覆シールド線３７の一端が電気接続され、被覆シールド線３７の他端は、通信機器のアクセサリージャック（何れも図示せず）に差し込むための多極プラグＰ３に電気接続されている。
右側コンデンサマイク４３には、被覆シールド線４７の一端が電気接続され、被覆シールド線４７の他端は、通信機器のアクセサリージャック（何れも図示せず）に差し込むための多極プラグＰ３に電気接続されている。
なお、各被覆シールド線３７、４７の他端のシールドを多極プラグＰ３内で接続することにより、多極プラグＰ３の使用端子数を３にしている。
【００４３】
本実施例のバイノーラル音響器具Ｂは、以下の様に使用する。
バイノーラル音響器具Ｂの左耳用音響ユニット３の左側イヤホン３２を自分の左耳に嵌め込み、左耳用遮音装着体３１を自分の左耳に装着する。そして、右耳用音響ユニット４の右側イヤホン４２を自分の左耳に嵌め込み、右耳用遮音装着体４１を自分の右耳に装着する。そして、多極プラグＰ３を自分が携帯している通信機器のアクセサリージャックに差し込む。
【００４４】
離れた場所にいる相手も、バイノーラル音響器具Ｂの左耳用音響ユニット３の左側イヤホン３２を自分の左耳に嵌め込み、左耳用遮音装着体３１を自分の左耳に装着する。そして、右耳用音響ユニット４の右側イヤホン４２を自分の右耳に嵌め込み、右耳用遮音装着体４１を自分の右耳に装着する。そして、多極プラグＰ３を自分が携帯している通信機器のアクセサリージャックに差し込む。
【００４５】
左方向からの音が左側コンデンサマイク３３で収音され、そのマイク信号が自分が携帯している通信機器に入力され、離れた場所にいる相手側の通信機器で復調され、相手の左耳に嵌め込んだ左側イヤホン３２で再生される。
右方向からの音が右側コンデンサマイク４３で収音され、そのマイク信号が自分が携帯している通信機器に入力され、離れた場所にいる相手側の通信機器で復調され、相手の右耳に嵌め込んだ右側イヤホン４２で再生される。
なお、各耳への装着を行うための各耳用遮音装着体３１、４１は、左側イヤホン３２および右側イヤホン４２で再生された音（相手側の音）が、左側コンデンサマイク３３および右側コンデンサマイク４３で収音されるのを防止する役目を果たす。
【００４６】
本実施例のバイノーラル音響器具Ｂは、以下の利点を有する。
バイノーラル音響器具Ｂは、各耳用遮音装着体３１、４１を自分の両耳に装着し、お互いが携帯している通信機器のアクセサリージャックに多極プラグＰ３を差し込めば、その場に居る様な音響効果を離れた相手に、リアルタイムで相互に与えることができる。
【００４７】
バイノーラル音響器具Ｂは、コンデンサマイク３３、４３およびイヤホン３２、４２を各耳用遮音装着体３１、４１に配設して一体化しているので装着性に優れる。
各耳用音響ユニット３、４は、各耳への装着を行うための各耳用遮音装着体３１、４１に、イヤホン３２、４２とコンデンサマイク３３、４３とを離して配設しているので、左側イヤホン３２および右側イヤホン４２で再生された音（相手側の音）が、左側コンデンサマイク３３および右側コンデンサマイク４３で収音されるのを、確実に防止することができる。
【００４８】
バイノーラル音響器具Ｂは、イヤホン３２、４２とコンデンサマイク３３、４３とを離して各耳用遮音装着体３１、４１に配設しているが、地表からイヤホン３２、４２およびコンデンサマイク３３、４３迄の距離は余り変わらない。
よって、自分と相手の身長が略同一で、地表から耳までの距離が同程度であれば、収音位置と再生位置とが同程度となり、相手に対して、同程度のバイノーラル音響を提供できる。
【００４９】
左側コンデンサマイク３３および右側コンデンサマイク４３は、外方向に指向性を有し、且つ、遮音性が高い左耳用遮音装着体３１および右耳用遮音装着体４１に配設されている。このため、左側イヤホン３２および右側イヤホン４２から再生された音（相手側の音）が、左側コンデンサマイク３３および右側コンデンサマイク４３で収音されることを防ぐことができ、ハウリングやエコーを防止できる。
各マイクは、コンデンサマイクであるので、小型であるとともに、外方向に指向性を出し易い。
【００５０】
左側コンデンサマイク３３および右側コンデンサマイク４３の収音開口部に多孔質体であるスポンジ３４、４４を取り付けているので、野外での使用の際に風切り音を収音し難い。
【実施例３】
【００５１】
つぎに、本発明の実施例３（請求項４、６に対応）を図３に基づいて説明する。
図３に示すバイノーラル音響器具Ｃは、円弧状のヘッドバンド５の各端に、左側イヤパッド６と右側イヤパッド７とを取り付けてなる。
ヘッドバンド５は、頭に装着するためのものであり、バネ材で形成されている。
【００５２】
左側イヤパッド６は、遮音性の高い材質で形成した半球状のハウジング６１と、左耳に臨む耳パッド６２とからなる。
左側イヤパッド６のハウジング６１内には左耳用スピーカ６３が内蔵されている。また、ハウジング６１の外壁には、左方向からの音を収音するための左側コンデンサマイク６４が配設されている。
【００５３】
左耳用スピーカ６３（マグネット型）には、被覆リード線の一端が電気接続され、被覆リード線の他端は、ヘッドバンド５を経て、通信機器のアクセサリージャック（何れも図示せず）に差し込むための多極プラグＰ４に電気接続されている。
左側コンデンサマイク６４は、外方向（図示左方向）に指向性を有し、収音開口部に風切り音を防ぐための多孔質体であるスポンジ６５を取り付けている。
左側コンデンサマイク６４には、被覆シールド線の一端が電気接続され、被覆シールド線の他端は、ヘッドバンド５を経て、通信機器のアクセサリージャック（何れも図示せず）に差し込むための多極プラグＰ４に電気接続されている。
【００５４】
右側イヤパッド７は、遮音性の高い材質で形成した半球状のハウジング７１と、右耳に臨む耳パッド７２とからなる。
右側イヤパッド７のハウジング７１内には右耳用スピーカ７３が内蔵されている。また、ハウジング７１の外壁には、右方向からの音を収音するための右側コンデンサマイク７４が配設されている。
【００５５】
右耳用スピーカ７３（マグネット型）には、被覆リード線の一端が電気接続され、被覆リード線の他端は、通信機器のアクセサリージャック（何れも図示せず）に差し込むための多極プラグＰ４に電気接続されている。
右側コンデンサマイク７４は、外方向（図示右方向）に指向性を有し、収音開口部に風切り音を防ぐための多孔質体であるスポンジ７５を取り付けている。
右側コンデンサマイク７４には、被覆シールド線の一端が電気接続され、被覆シールド線の他端は、通信機器のアクセサリージャック（何れも図示せず）に差し込むための多極プラグＰ４に電気接続されている。
なお、各線のアース側を多極プラグＰ４内で接続することにより、多極プラグＰ４の使用端子数を６にしている。
【００５６】
本実施例のバイノーラル音響器具Ｃは、以下の様に使用する。
バイノーラル音響器具Ｃの左側イヤパッド６が自分の左耳を覆い、右側イヤパッド７が自分の右耳を覆う様に、ヘッドバンド５を自分の頭に装着する。そして、自分が携帯している通信機器のアクセサリージャックに多極プラグＰ４を差し込む。
【００５７】
離れた場所にいる相手も、同様に、バイノーラル音響器具Ｃの左側イヤパッド６が自分の左耳を覆い、右側イヤパッド７が自分の右耳を覆う様に、ヘッドバンド５を自分の頭に装着する。そして、自分が携帯している通信機器のアクセサリージャックに多極プラグＰ４を差し込む。
【００５８】
左方向からの音が左側コンデンサマイク６４で収音され、そのマイク信号が自分が携帯している通信機器に入力され、離れた場所にいる相手の通信機器で復調され、相手のバイノーラル音響器具Ｃの左側イヤパッド６の左耳用スピーカ６３で再生される。
右方向からの音が右側コンデンサマイク７４で収音され、そのマイク信号が自分が携帯している通信機器に入力され、離れた場所にいる相手の通信機器で復調され、相手のバイノーラル音響器具Ｃの右側イヤパッド７の右耳用スピーカ７３で再生される。
【００５９】
なお、各イヤパッド６、７のハウジング６１、７１は、左耳用スピーカ６３および右耳用スピーカ７３で再生された音（相手側の音）が、左側コンデンサマイク６４および右側コンデンサマイク７４で収音されるのを防止する役目を果たす。
【００６０】
本実施例のバイノーラル音響器具Ｃは、以下の利点を有する。
バイノーラル音響器具Ｃは、お互いが携帯している通信機器のアクセサリージャックに多極プラグＰ４を差し込めば、その場に居る様な音響効果を離れた相手に、リアルタイムで相互に与えることができる。
また、バイノーラル音響器具Ｃは、ヘッドバンド５の両端に、左側イヤパッド６と右側イヤパッド７とを取り付けて一体化しているので装着性に優れる。
【００６１】
バイノーラル音響器具Ｃは、各イヤパッド６、７を自分の両耳に装着し、お互いが携帯している通信機器のアクセサリージャックに多極プラグＰ４を差し込めば、その場に居る様な音響効果を離れた相手に、リアルタイムで相互に与えることができる。
【００６２】
バイノーラル音響器具Ｃは、マイク６４、７４およびスピーカ６３、７３を各イヤパッド６、７に配設し、且つ、ヘッドバンド５の各端にイヤパッド６、７を取り付けて一体化しているので装着性に優れる。
【００６３】
バイノーラル音響器具Ｃは、マイク６４、７４およびスピーカ６３、７３をイヤパッド６、７に配設しているので、地表からスピーカおよびマイク迄の距離は略同一である。
よって、自分と相手の身長が略同一で、地表から耳までの距離が略同一であれば、収音位置と再生位置とが同程度となり、相手に対して、略同一のバイノーラル音響を提供できる。
【００６４】
左側コンデンサマイク６４および右側コンデンサマイク７４は、外方向に指向性を有し、且つ、遮音性が高いハウジング６１、７１の外壁に配設されている。このため、左耳用スピーカ６３および右耳用スピーカ７３から再生された音（相手側の音）が、左側コンデンサマイク６４および右側コンデンサマイク７４で収音されることを防ぐことができ、ハウリングやエコーを防止できる。
各マイク６４、７４は、コンデンサマイクであるので、小型であるとともに、外方向に指向性を出し易い。
【００６５】
左側コンデンサマイク６４および右側コンデンサマイク７４の収音開口部に多孔質体であるスポンジ６５、７５を取り付けているので、野外での使用の際に風切り音を収音し難い。
左側コンデンサマイク６４および右側コンデンサマイク７４は、コンデンサマイクであるので、小型であるとともに、外方向に指向性を出し易い。
【実施例４】
【００６６】
つぎに、本発明の実施例４（請求項５、６に対応）を図４に基づいて説明する。
図４に示すバイノーラル音響器具Ｄは、下記の構成が実施例３のバイノーラル音響器具Ｃと異なる。
左側コンデンサマイク６４は、ヘッドバンド５の外周面の左側イヤパッド６近傍に配設されている。
また、右側コンデンサマイク７４は、ヘッドバンド５の外周面の右側イヤパッド７近傍に配設されている。
【００６７】
本実施例のバイノーラル音響器具Ｄは、以下の利点を有する。
バイノーラル音響器具Ｄは、お互いが携帯している通信機器に電気接続すれば、その場に居る様な音響効果を離れた相手に、リアルタイムで相互に与えることができる。
また、バイノーラル音響器具Ｄは、ヘッドバンド５の両端に、左側イヤパッド６と右側イヤパッド７とを取り付けて一体化しているので装着性に優れる。
【００６８】
バイノーラル音響器具Ｄは、各イヤパッド６、７を自分の両耳に装着し、お互いが携帯している通信機器のアクセサリージャックに多極プラグＰ４を差し込めば、その場に居る様な音響効果を離れた相手に、リアルタイムで相互に与えることができる。
【００６９】
バイノーラル音響器具Ｄは、各マイク６４、７４をヘッドバンド５の外周面のイヤパッド６、７近傍に配設し、スピーカ６３、７３を内蔵したイヤパッド６、７をヘッドバンド５の両端に取り付けて一体化しているので装着性に優れる。
【００７０】
バイノーラル音響器具Ｄは、各マイク６４、７４をヘッドバンド５の外周面のイヤパッド６、７近傍に配設しているので、左耳用スピーカ６３および右耳用スピーカ７３で再生された音（相手側の音）が、左側コンデンサマイク６４および右側コンデンサマイク７４で収音されるのを、確実に防止することができる。
【００７１】
バイノーラル音響器具Ｄは、マイク６４、７４をヘッドバンド５の外周面のイヤパッド６、７近傍に配設し、スピーカ６３、７３をイヤパッド６、７に内蔵しているので、地表からスピーカ６３、７３およびコンデンサマイク６４、７４迄の距離は同程度である。
よって、自分と相手の身長が同程度で、地表から耳までの距離が同程度であれば、収音位置と再生位置とが同程度となり、相手に対して、同程度のバイノーラル音響を提供できる。
【００７２】
左側コンデンサマイク６４および右側コンデンサマイク７４は、外方向に指向性を有し、且つ、ヘッドバンド５の外周面のイヤパッド近傍６、７に配設されている。このため、左耳用スピーカ６３および右耳用スピーカ７３から再生された音（相手側の音）が、左側コンデンサマイク６４および右側コンデンサマイク７４で収音されることを確実に防ぐことができ、ハウリングやエコーを確実に防止できる。
【００７３】
各マイク６５、７５は、コンデンサマイクであるので、小型であるとともに、外方向に指向性を出し易い。
左側コンデンサマイク６４および右側コンデンサマイク７４の収音開口部に多孔質体であるスポンジ６５、７５を取り付けているので、野外での使用の際に風切り音を収音し難い。
左側コンデンサマイク６４および右側コンデンサマイク７４は、コンデンサマイク（小型）であるので、ヘッドバンド５の外周面のイヤパッド６、７近傍に容易に配設することができるとともに、外方向に指向性を出し易い。
【実施例５】
【００７４】
つぎに、本発明の実施例５（請求項４、６、７に対応）を、図５および図６に基づいて説明する。
バイノーラル音響器具Ｅは、下記の構成が実施例３のバイノーラル音響器具Ｃと異なる。
バイノーラル音響器具Ｅは、先端に会話用マイク８１を配設したフレキシブルアーム８を左側イヤパッド６の下部に取り付けている。
なお、会話用マイク８１は、コンデンサマイクであり、口方向に指向性を有する。
更に、会話用マイク８１の会話用マイク信号が通信機器Ｔへ出力されるのを、有効にするか無効にするのかを切り換えるスイッチＳＷを、通信機器Ｔのアクセサリージャックに差し込む多極プラグＰ５とバイノーラル音響器具Ｅとを電気接続するケーブル８０の途中に電気接続している。
【００７５】
スイッチＳＷのポジションは、以下のとおりである。
（ＳＷ−１）会話用マイク８１の会話用マイク信号が通信機器Ｔへ出力されるのを無効にする。但し、左側コンデンサマイク６４および右側コンデンサマイク７４の各マイク信号は、通信機器Ｔへ出力される。
【００７６】
（ＳＷ−２）会話用マイク８１の会話用マイク信号が通信機器Ｔへ出力されるのを有効にする。但し、左側コンデンサマイク６４および右側コンデンサマイク７４の各マイク信号も通信機器Ｔへ出力される。
【００７７】
（ＳＷ−３）会話用マイク８１の会話用マイク信号が通信機器Ｔへ出力されるのを有効にする。但し、左側コンデンサマイク６４および右側コンデンサマイク７４の各マイク信号が通信機器Ｔへ出力されるのを無効にする。
【００７８】
本実施例のバイノーラル音響器具Ｅは、以下の利点を有する。
バイノーラル音響器具Ｅは、各イヤパッド６２、７２を自分の両耳に装着し、お互いが携帯している通信機器Ｔのアクセサリージャックに多極プラグＰ５を差し込めば、例えば、図６（ａ）のサッカー場に居る様な音響効果を、図６（ｂ）の離れた相手にリアルタイムで与えることができる。
【００７９】
バイノーラル音響器具Ｅは、マイク６４、７４およびスピーカ６３、７３を各イヤパッド６２、７２に配設し、且つ、ヘッドバンド５の各端にイヤパッド６２、７２を取り付け、会話用マイク８１を配設したフレキシブルアーム８を左側イヤパッド６の下部に取り付けて一体化しているので装着性に優れる。
【００８０】
バイノーラル音響器具Ｅは、スイッチＳＷのポジションを、ＳＷ−１かＳＷ−２に操作すれば、会話用マイク信号が通信機器へ出力されるので、サッカー場等の騒がしい場所であっても、会話用マイク８１を使って相手と容易に会話することができる。
【００８１】
左側コンデンサマイク６４および右側コンデンサマイク７４は、外方向に指向性を有し、且つ、遮音性が高いハウジング６１の外壁に配設されている。
また、会話用マイク８１は、コンデンサマイクであり、口方向に指向性を有する。また、収音開口部に多孔質体であるスポンジ（図示せず）を取り付けている。
このため、左耳用スピーカ６３および右耳用スピーカ７３から再生された音（相手側の音）が、左側コンデンサマイク６４、右側コンデンサマイク７４、または会話用マイク８１で収音されることを防ぐことができ、ハウリングやエコーを防止できる。
各マイク６４、７４は、コンデンサマイクであるので、小型であるとともに、所定方向に指向性を出し易い。
【００８２】
各マイクの収音開口部に多孔質体であるスポンジを取り付けているので、野外での使用の際に風切り音を収音し難い。
【００８３】
バイノーラル音響器具Ｅは、マイク６４、７４およびスピーカ６３、７３をイヤパッド６２、７２に配設しているので、地表からスピーカ６３、７３およびマイク６４、７４迄の距離は略同一である。
よって、自分と相手の身長が略同一で、地表から耳までの距離が略同一であれば、収音位置と再生位置とが同程度となり、相手に対して、略同一のバイノーラル音響を提供できる。
【００８４】
〔変形例〕
請求項１〜７のバイノーラル音響器具において、マイク９０（左側、右側）を、人間の耳の耳介の形状を似せて作った集音体９（左右）の奥部に配設しても良い。なお、集音体９は、ゴム、シリコン、またはプラスチック等で製造する。
こうすれば、人間が音を聞く時の様な状態に集音でき、相手に対して、その場に居る様な、より自然な音響効果を与えることができる（図７参照）。
【図面の簡単な説明】
【００８５】
【図１】実施例１に係るバイノーラル音響器具を耳に装着した状態を示す説明図である。
【図２】実施例２に係るバイノーラル音響器具の構造を示す説明図である。
【図３】実施例３に係るバイノーラル音響器具の構造を示す説明図である。
【図４】実施例４に係るバイノーラル音響器具の構造を示す説明図である。
【図５】実施例５に係るバイノーラル音響器具の構造を示す説明図である。
【図６】（ａ）、（ｂ）は、実施例５に係るバイノーラル音響器具を、サッカー場で使用している状態を示す説明図である。
【図７】変形例に係るバイノーラル音響器具の構造を示す説明図である。
【符号の説明】
【００８６】
Ａ、Ｂ、Ｃ、Ｄ、Ｅ  バイノーラル音響器具
ＳＷ  スイッチ
１、３  左耳用音響ユニット
２、４  右耳用音響ユニット
５  ヘッドバンド
６  左側イヤパッド
７  右側イヤパッド
８  フレキシブルアーム
１０  左耳
１１、３２  左側イヤホン
１２、３３、６４  左側コンデンサマイク（左側マイク）
１３  遮音材
２０  右耳
２１、４２  右側イヤホン
２２、４３、７４  右側コンデンサマイク（右側マイク）
２３  遮音材（別の遮音材）
３１  左耳用遮音装着体
４１  右耳用遮音装着体
３４、４４、６５、７５  スポンジ（多孔質体）
６３  左耳用スピーカ
７３  右耳用スピーカ
８１  会話用マイク
【図１】
2006339911.tif 000003
【図２】
2006339911.tif 000004
【図３】
2006339911.tif 000005
【図４】
2006339911.tif 000006
【図５】
2006339911.tif 000007
【図６】
2006339911.tif 000008
【図７】
2006339911.tif 000009